(57)【要約】【課題】  本発明は、撮影画像と撮影対象物が持つ電子タグ内の情報を対応付けて記録する画像撮影装置を提供することを課題とする。【解決手段】  シャッターボタン５を半押し状態に操作するとタグリーダ／ライタ２は、撮影レンズ３方向に電波を送信し、撮影対象物が持つ電子タグから電子タグ情報を読み出す。このとき表示部に電子タグ情報の内容が表示される。シャッターボタン５を押して撮影を行なうと撮影画像の画像データ、設定モード及び電子タグ情報が対応付けられて記憶される。このデータを取りんだデータ処理装置によって、設定モードに基づいてデータベースに登録される。【選択図】      図１
2005192034.tif 000002
【特許請求の範囲】
【請求項１】
撮影対象物を撮影する撮影手段と、
モードを設定するモード設定手段と、
電子タグが記憶している電子タグ情報を読み出す電子タグ読み出し手段と、
前記撮影手段による撮影画像の画像データ、前記モード設定手段が設定したモードを示す情報、及び前記電子タグ読み出し手段が読み出した前記電子タグ情報を対応付けて記憶する画像記憶手段と
を備えることを特徴とする画像撮影装置。
【請求項２】
電子タグが記憶している電子タグ情報を読み出し、撮影画像の画像データと共に記憶する画像撮影装置によって撮影された撮影画像についてのデータを処理するデータ処理装置であって、
管理情報をデータベース化して記憶するデータベース手段と、
前記画像データ及び前記電子タグ情報に基づくデータを管理情報として前記データベース手段に登録する登録手段と
を備えることを特徴とするデータ処理装置。
【請求項３】
前記撮影画像についてのデータから前記撮影画像を撮影したときのモードを調べるモード検出手段を更に備え、前記登録手段は、前記モードが仕入れモードであったとき、前記画像データ及び前記電子タグ情報に基づくデータを仕入れに関する管理情報として前記データベース手段に登録し、前記モードが返品モードであったとき、前記画像データ及び前記電子タグ情報に基づくデータを返品に関する管理情報として前記データベース手段に登録することを特徴とする請求項２に記載のデータ処理装置。
【請求項４】
前記データベース手段は、返品に関する管理情報を記憶し、前記画像データは返品原因を撮影したものであることを特徴とする請求項２又は３に記載のデータ処理装置。
【請求項５】
仕入先に商品の返品通知を行なう通知手段を更に備え、前記画像データは返品原因を撮影したものであり、前記通知手段は、前記画像データと共に前記返品通知を送ることを特徴とする請求項２乃至４のいずれか１つに記載のデータ処理装置。
【請求項６】
前記電子タグ情報は、前記電子タグが付加されている物品について販売店へ通知を行ないたい情報を含むことを特徴とする請求項２乃至５のいずれか１つに記載のデータ処理装置。
【請求項７】
画像撮影装置内で実行されるプログラムであって、
撮影対象物を撮影する機能と、
モードを設定する機能と、
電子タグが記憶している電子タグ情報を読み出す機能と、
撮影画像の画像データ、設定されているモードを示す情報、及び前記電子タグ情報を対応付けて記憶する機能と、
を実現するプログラム。
【請求項８】
電子タグが記憶している電子タグ情報を読み出し、撮影画像の画像データと共に記憶する画像撮影装置によって撮影された撮影画像についてのデータを処理するデータ処理装置内で実行されるプログラムであって、
管理情報をデータベースに記憶する機能と、
前記画像データ及び前記電子タグ情報に基づくデータを管理情報として前記データベースに登録する機能と
を実現するプログラム。
【発明の詳細な説明】
【技術分野】
【０００１】
本発明は、撮影対象物を撮影し、撮影画像を取り込む画像撮影装置及びその撮影データを処理するデータ処理装置に関する。
【背景技術】
【０００２】
近年、バーコード等によるタグの代わりに、ＲＦＩＤ（Radio Frequency ID）等による電子タグが普及してきており、それに伴ない、電子タグを用いた様々な管理システムの提案が為されている。
【０００３】
例えば特許文献１には、物品やサービスにデータ形式が統一されたＩＤが記憶されている電子タグを取り付けておき、新たな商品やサービスをデータベースに登録したり、種々のサービスを行なう際に、この電子タグから情報を読み取り、この情報をデータベースに登録するのに用いたり、ネットワーク上に配信したりすることによって、物品やサービスの管理を行なっている。
【特許文献１】特開２００２−１５０２４１号公報（段落［０００９］、［００４６］〜［００４８］、図１）
【発明の開示】
【発明が解決しようとする課題】
【０００４】
上記したように、電子タグを用いて物品やサービスの管理を行なうものは、現在多様なものが提案されている。しかしながら、現在提案されている電子タグを用いた管理の仕方には、電子タグ内の情報と、電子タグが貼付された商品やサービスに関連する撮影画像を対応付けて管理するものは無かった。
【０００５】
本発明は、物品等を撮影すると、この撮影画像と共に撮影物に対する情報を提供することが出来る技術を提供することを課題とする。
また物品等に電子タグを付加し、この電子タグから読み取った情報と撮影した画像の関連付けを実現する技術を提供することを課題とする。
【０００６】
更に物流や在庫管理において、画像や音声等の情報が付加された商品の情報を管理情報として用いることが出来る技術を提供することを課題とする。
【課題を解決するための手段】
【０００７】
上記問題点を解決する為、本発明による画像撮影装置は、撮影手段、モード設定手段、電子タグ読み出し手段及び画像記憶手段を備える。
撮影手段は、撮影対象物を撮影する。
【０００８】
モード設定手段は、モードを設定する。
電子タグ読み出し手段は、電子タグが記憶している電子タグ情報を読み出す。
画像記憶手段は、前記撮影手段による撮影画像の画像データ、前記モード設定手段が設定したモードを示す情報、及び前記電子タグ読み出し手段が読み出した前記電子タグ情報を対応付けて記憶する。
【０００９】
これにより、撮影された撮影対象物が持つ電子タグ内の情報、撮影画像及びモードを示す情報を対応付けて記憶することが出来る。
また本発明によるデータ処理装置は、電子タグが記憶している電子タグ情報を読み出し、撮影画像の画像データと共に記憶する画像撮影装置によって撮影された撮影画像についてのデータを処理することを前提とし、データベース手段及び登録手段を備える。
【００１０】
データベース手段は、管理情報をデータベース化して記憶する。
前記画像データ及び前記電子タグ情報に基づくデータを管理情報として前記データベース手段に登録する。
【００１１】
この構成により、電子タグから読み出した情報とその電子タグを持つ物品の撮影画像のデータが対応付けて管理情報として用いられる。
また本発明によるデータ処理装置は、前記撮影画像についてのデータから前記撮影画像を撮影したときのモードを調べるモード検出手段を更に備え、前記登録手段は、前記モードが仕入れモードであったとき、前記画像データ及び前記電子タグ情報に基づくデータを仕入れに関する管理情報として前記データベース手段に登録し、前記モードが返品モードであったとき、前記画像データ及び前記電子タグ情報に基づくデータを返品に関する管理情報として前記データベース手段に登録する構成とすることも出来る。
【００１２】
この構成によって、電子タグから読み出した情報とその電子タグを持つ物品の撮影画像のデータは、撮影時に設定されたモードに対応する管理情報として用いることが出来る。
更に本発明によるデータ処理装置は、前記データベース手段は、返品に関する管理情報を記憶し、前記画像データは返品原因を撮影したものと構成することも出来る。
【００１３】
この構成により、返品原因の特定が容易になる。
また、本発明は、データ処理装置内で実行されるプログラムもその範囲に含む。
【発明の効果】
【００１４】
本発明によれば、撮影された撮影対象物が持つ電子タグ内の情報、撮影画像及びモードを示す情報を対応付けて記憶することが出来る。
この構成により、電子タグから読み出した情報とその電子タグを持つ物品の撮影画像のデータが対応付けて管理情報として用いられる。よって、管理情報には撮影画像が含まれているので、管理処理を速やかに且つ確実に実行することが出来る。
【発明を実施するための最良の形態】
【００１５】
以下に本発明に係る一実施形態を図面を参照しながら説明する。
本実施形態では、管理対象となる商品に、その商品に対する情報を電子タグ情報として記憶した電子タグを付加する。そして、電子カメラ等の画像撮影装置で撮影する際に、この電子タグから電子タグ情報を読み出し、この読み出した電子タグ情報と画像撮影装置によって撮影した撮影画像を対応付けて管理する。
【００１６】
このような技術を用いて、例えば物流や在庫の管理において、不良品などの返品物に対して検証を行ない、不良個所など返品の原因となった箇所を撮影すると、撮影を行なった物品が持つ電子タグ内に記憶されている製造番号等その商品に対する種々の情報を読み出し、撮影画像と関連付けられて記憶される。そしてこの撮影画像のデータを、返品処理用のデータとして製造メーカや商品を卸した商社へ通知する。
【００１７】
これにより、返品理由が明確になるので、メーカ等は返品された物品に対して返品状態を容易に確認でき、原因究明等の返品処理を確実に行なうことが出来る。また画像によって確認できるので、返品処理に誤りが生じる可能性が少なくなる。
【００１８】
あるいは、例えば新しい商品や、販売に力を入れている商品にメーカ等がこの商品に対するＰＲ等この物品を商品として扱う販売店等に通知したい情報を記録した電子タグを貼付しておき、販売店ではこの商品を入荷したときに、この商品を撮影して、商品が持つ電子タグから情報を読み出すことによって、広告やチラシを作成する際に使用できる情報、あるいは販売時の注意事項などの情報を得ることが出来る。
【００１９】
図１（ａ）は、本実施形態で商品撮影に用いられる画像撮影装置の概略図である。
同図の画像撮影装置１には、タグリーダ／ライタ２及びモードスイッチ６を備えている点を特徴としている。
【００２０】
このうちモードスイッチ６は、後述する仕入れモード、返品モード、モードＯＦＦを切り替えるもので、このモードスイッチ６が仕入れモード若しくは返品モードに設定されているときは、撮影対象物が持つ電子タグ内の電子タグ情報を読み出して撮影画像と共に記憶、管理する処理を行ない、モードスイッチ６がＯＦＦとなっている場合には、画像撮影装置１は、電子タグ情報の読み出しを行なわず、カメラ等の通常の画像撮影装置として機能する。
【００２１】
またタグリーダ／ライタ２は、電子タグから電子タグ情報を読み出したり、情報を書き込んだりするものである。尚タグリーダ／ライタ２は、画像撮影装置１によって撮影する撮影対象が持つ電子タグのみと電波による交信を行なうため、撮影レンズ３が向いている方向への指向性を持った電波の送受信を行なうよう構成されている。
【００２２】
図１（ｂ）に、タグリーダ／ライタ２が備える送受信アンテナの一例を示す。
同図の送受信アンテナ２１は、撮影レンズ３の方向の逆側及び左右両側をシールド板２２によって覆うことにより指向性を持たせており、撮影レンズ３側の方向にある撮影対象が持つ電子タグに対して電波の送受信を行なうよう構成されている。尚同図のアンテナの構成は一例であり、他の構成によって指向性を持たせてもよい。また、アンテナを撮影レンズ３近傍に設けたり、短波帯やマイクロ波帯等の高周波数帯の送受信電波を用いて指向性を高めたり、電界強度を測定することによって対象を特定するようにしてもよい。
【００２３】
図１（ａ）の画像撮影装置１は、モードスイッチ６が仕入れモードや返品モードに設定された状態でシャッターボタン５を半押し状態に操作されると、タグリーダ／ライタ２は撮影レンズ３が向いている方向に対して電波を発信し、物品に付加されている電子タグから応答の電波を受信し、得られた電子タグ情報を記憶する。またこの情報を撮影レンズ３によって写されているスルー画像と共に不図示の表示部に表示する。そしてこの状態でシャッターボタン５が全押しされると、画像が取り込まれて撮影が行なわれると共に撮影画像と電子タグから読み出した電子タグ情報が関連付けられて記憶される。
【００２４】
図２は、図１の画像撮影装置１の内部構成例を示すブロック図である。
同図の例では画像撮影装置１は、Ａ／Ｄ変換器１３、画像処理部１５、入出力制御部１６、画像処理用メモリ１９、電子タグ用メモリ２０、画像メモリ２３、通信インタフェース２４、メモリカードインタフェース２５及びタグリーダ／ライタ２７がバスライン２８によって接続され、バス２８によって互いにデータをやり取りできるように構成されている。
【００２５】
レンズ１０は、ガラスまたはプラスチックからなる光学レンズ及びその駆動装置からなり、撮影制御部１４からの制御指示によって光軸方向に駆動して焦点合わせを行なったり、ズーム機能を実現したりする。ＣＣＤ１１は、光信号を電気信号に変換するもので、レンズ１０を介して結像された被写体の光学像を光電変換し、被写体の光学像に応じたアナログの撮像信号を出力する。撮像プロセス１２は、撮影制御部１４からの制御指示指示があると、ＣＣＤ画像記録装置１１から入力されたアナログ信号を増幅し、サンプリングしてＡ／Ｄ変換器１３に出力するものである。Ａ／Ｄ変換器１３は、撮影制御部１４から入力されたアナログ信号をデジタル信号に変換するものである。撮影制御部１４は、画像撮影装置１による画像の撮影処理の制御を司るもので、内部に記憶したプログラムを実行することにより、レンズ１０を制御して焦点合わせやズーム機能を実現したり、ＣＣＤ１１や撮像プロセス１２を制御して撮影画像を画像データを画像メモリに記録する等の撮影機能を実現する。画像処理部１５は、撮影を行なう際に、Ａ／Ｄ変換器１５からの出力に対して、事前に設定されている種々の撮影条件を考慮した画像処理を行なった後、圧縮処理を行ない撮影画像の画像データを生成する。また画像処理部１５は、Ａ／Ｄ変換器１５から出力されるスルー画像の画像データに電子タグ用メモリ２０内の製品情報を合成した画像の画像データを画像処理用メモリ１９に生成する。
【００２６】
入出力制御部１６は、内部に記憶したプログラムを実行することにより、使用者による入力部１７からの入力指示に対する各種処理や表示部１８で表示するスルー画像や各種情報の表示を表示する為の処理制御を行なうものである。入力部１７は、使用者が操作入力を行なうためのスイッチ等で、シャッターボタン、電源キー、モード選択キー、十字キー、決定キー等の複数の操作キーを含む構成となっており、使用者によるキー操作に応じたキー入力信号を入出力制御部１６に出力する。表示部１８は、カラーＬＣＤとその駆動回路とを有し、ＣＣＤ１１によって撮像された被写体画像をスルー画像として表示したり、画像メモリ２３やメモリカードに記憶されている撮影画像を表示する。画像処理用メモリ１９は、画像処理部１５が画像処理を行なった画像データを格納するメモリで、入出力制御部入出力制御部１６は、このメモリ内の画像データに基づいて表示部１８による表示を行なったり、撮影画像の画像データを画像メモリ２３に格納する。電子タグ用メモリ２０は、タグリーダ／ライタ２７が電子タグから読み出した情報を記憶するメモリである。画像メモリ２３は、画像撮影装置１によって撮影された複数の撮影画像のデータが記憶されるメモリである。通信インタフェース２４は、後述するデータ処理装置等と接続してデータの授受を行なうインタフェースである。メモリカードインタフェース２５は、画像データを保存するメモリカードをマウントするインタフェースで、使用者の指示に基づいて入出力制御部１６は、画像メモリ２３内の画像データをメモリカードインタフェース２５がマウントしているメモリカードへ転送する。タイマ２６は、日時を計時するもので、入出力制御部１６は、このタイマ２６によって計時されている日時をシステム日時とする。
【００２７】
タグリーダ／ライタ２７は、入出力制御部１６からの指示によって電子タグに対するアクセスを行なうもので、制御部２７１、メモリ２７２、送受信部２７３及びアンテナ２７４を備えている。
【００２８】
入出力制御部１６から電子タグの読み出し／書き込み指示があると、制御部２７１は、送受信部２７３に電波を送信させ、応答として受信した電波を送受信部２７３でデジタルデータに変換後、メモリ２７２に記憶する。また入出力制御部１６から電子タグから読み出したデータを要求されると、制御部２７１は、メモリ２７２に記憶されているデータを電子タグ用メモリ２０に転送する。
【００２９】
図３は、画像撮影装置１によって撮影される撮影対象物に付加される電子タグ内に記憶され、タグリーダ／ライタ２７によって読み出し可能な電子タグ情報の構成例を示す図である。
【００３０】
電子タグ内には、電子タグ情報としてＩＤコード３１及び製品情報３２が記憶されている。画像撮影装置１のタグリーダ／ライタ２７からの電波を受けると電子タグは、このＩＤコード３１と製品情報３２を応答として電波によって返信する。
【００３１】
ＩＤコード３１は、各電子タグを一意に識別する識別子である。製品情報３２は、この電子タグが付加された物品に対する種々の情報を示すもので、製品名や型番、製造番号等その商品を特定する製品特定情報や、その物品に対する性能や広告、取り扱い方法や注意事項などの商品情報を製品情報３２として電子タグ内に記憶する。そして本実施形態では電子タグが付加された物品が画像撮影装置１によって撮影されると、この撮影画像の付加情報として製品情報３２が共に格納される。
【００３２】
尚商品情報としては上記した各種情報をそのまま記憶するのではなく、これらの情報が格納されているネットワーク上の位置を示す情報（ＩＰアドレス、ＵＲＬなど）を記憶し、チラシの作成等を行なう際には、ネットワークを介してこれらの情報を読み出して共に表示するように構成してもよい。
【００３３】
またＩＤコード３１に製品番号や製品名と対応した番号を付けることによって、ＩＤコード３１が製品特定情報を兼ねるようにしてもよい。
図４は、画像メモリ２３内に記憶されている撮影画像についてのデータの構成例を示す図である。
【００３４】
画像メモリ２３には画像撮影装置１によって撮影された複数の撮影画像についてのデータが記憶されている。このデータには画像情報と電子タグ情報があり、画像撮影装置１によって撮影された撮影画像についての情報である画像情報は、電子タグから読み出した電子タグ情報と対応付けられて画像メモリ２３内に記憶される。
【００３５】
この画像メモリ２３内のデータは、物流や在庫の管理を行なっているデータ処理装置に、メモリカードインタフェース２５にマウントされているメモリカードを介して読み込まれたり、或いは通信インタフェース２４によるネットワーク通信によって送られる。そしてこのデータは、データ処理装置上において、管理情報としてデータベース化して記録、管理される。
【００３６】
図４の構成例では、１つの撮影画像に対するデータには、ＪＰＥＧ等の撮影画像の画像データ４１の他に属性情報４２として撮影日時や撮影時の設定（ホワイトバランス、シャッタースピード、絞り等）等が記憶されている。また撮影時にモードスイッチ６が仕入れモードや返品モードに設定されていたときは、この属性情報４２には電子タグから読み出したＩＤコードから生成した電子タグの識別子が含まれている。
【００３７】
また電子タグ情報としては、ＩＤコードから生成された識別子４３、電子タグ情報を読み出したときの設定モードを示しモード情報（仕入れモード／返品モード）４４、及び電子タグから読み出した、電子タグが付加されている製品を特定する製品特定情報（製品名、型番、製造番号等）４５及び上記した販売店に通知したい情報等である商品情報４６が記憶されており、この電子タグ情報と画像情報は属性情報４２内の識別子と識別子４３によって関連付けられている。
【００３８】
このようなデータ構成で格納されている画像メモリ２３内のデータは、メモリカードインタフェース２５にマウントされているメモリカードや通信インタフェース２４を介して販売店のデータ処理装置に読み込まれる。そして、このデータに基づいて撮影画像を表示を行なうと、対応する商品情報４６内の情報も撮影画像と共に表示される。またこのデータは、仕入れや返品の記録として各データベースに登録される。
【００３９】
図５は、本実施形態で用いられるデータ処理装置の構成例を示す図である。
データ処理装置１で撮影された撮影画像のデータは、撮影対象となった商品を扱う販売店に備えられているデータ処理装置によって、仕入れや返品処理に用いられる。
【００４０】
同図では、データ処理装置は、ＣＰＵ５１、入出力部５２、媒体駆動部５３、ＲＯＭ５４、ＲＡＭ５５、外部インタフェース５６及びハードディスク５７を備え、これらがバス５８により接続され互いにデータのやり取りを行なう構成となっている。
【００４１】
ＣＰＵ５１は、ＲＯＭ５４やＲＡＭ５５、ハードディスク５７が記憶しているプログラムやデータを実行することにより、後述する撮影画像のデータに対する処理を実現するものである。入出力部５２は、ユーザとのマンマシンインタフェースとなる機器で、キーボードやポインティングデバイスなどのユーザが指示入力を行なう機器と、ディスプレイやプリンタ等のデータ処理装置による処理結果をユーザに出力する機器とを有する。媒体駆動部５３は、磁気テープ、フレキシブルディスク、ＣＤ−ＲＯＭ、ＭＯ等の可搬記憶媒体に対してのアクセスを行なうものである。また媒体駆動部５３は、メモリカードから画像撮影装置１によって撮影された撮影画像のデータを読み出す。ＲＯＭ５４は、不揮発性の読み出し専用メモリで、ＢＩＯＳ等の基本プログラムを記憶している。ＲＡＭ５５は、揮発性のメモリで、主にＣＰＵ５１のワークエリアとして用いられる。外部インタフェース５６は、画像撮影装置１やプリンタ等の外部装置と接続するインタフェースで、データ処理装置はこの外部インタフェース５６を介して外部装置とデータのやり取りを行なう。ハードディスク５７は、大容量の不揮発性メモリで、ＣＰＵ５１が実行するプログラムやＣＰＵ５１が処理するデータ記憶している。
【００４２】
またハードディスク５７は、在庫管理用のデータ、返品用のデータ及び仕入れ用のデータをデータベース化して、在庫管理データベース５７１、返品データベース５７２及び仕入れデータベース５７３として記憶している。
【００４３】
在庫管理データベース５７１は、販売店で扱う商品の在庫を管理するもので、この販売店で扱っている各商品の商品名、仕入先、在庫数等についての情報をデータベース化して記録、管理している。返品データベース５７２は、不良等で返品扱いとなった商品を管理するもので、返品時に撮影した撮影画像、電子タグから読み出した製造番号等の製品特定情報、撮影日時（返品日時）等の情報をデータベース化して記録、管理している。仕入れデータベース５７３は、メーカや商社、卸し売り点等から仕入れた商品についての情報をデータベース化して記憶するもので、仕入れ日、仕入れ個数当の情報のほかに、その商品の撮影画像、製品名や商品情報等の電子タグ情報及び撮影日をデータベース化して記録、管理している。
【００４４】
このデータ処理装置では、画像撮影装置１によって撮影された撮影画像のデータを媒体駆動部５３にマウントされたメモリカードから読み出したり、外部インタフェース５６を介して読み込み、撮影画像と共に撮影時に電子タグから読み出した電子タグ情報を画面上に表示したり、あるいはプリンタ出力する。
【００４５】
また、この情報を返品データベース５７２及び仕入れデータベース５７３に登録することにより、在庫や返品、仕入れの管理に用いる。また、チラシ広告等を作成する際には、仕入れデータベース５７３から対応する商品の撮影画像やメーカなどから提供された商品情報を取り出して、広告作成に用いる。
【００４６】
次に画像撮影装置１及びデータ処理装置の使用例及びその動作を説明する。
販売店では、商品を入荷すると画像撮影装置１を仕入れモードにしてその商品を撮影する。また商品の返品があると、画像撮影装置１を返品モードにし、不良個所等返品の原因となった箇所を撮影する。モードスイッチ６が仕入れモードや返品モードに設定された状態で撮影を行なうと画像撮影装置１は、撮影対象が持つ電子タグが記憶している電子タグ情報を読み出し、これを撮影画像の画像データと対応付けて記憶する。
【００４７】
次に撮影画像のデータは、画像撮影装置１からデータ処理装置に読み込まれ、返品データベース５７２及び仕入れデータベース５７３に登録される。そして返品の際には、返品先へ返品通知にこの撮影画像のデータを返品先へ送る。これにより、返品通知を受け取った先では、返品原因を容易に特定でき、速やかに且つ確実に返品処理を行なえる。また、仕入れを行なった場合には、仕入れデータベース５７３内に仕入れ商品とメーカ等から提供されたその商品情報が登録されているので、これを広告作成に用いたり、或いは商品情報内の注意事項からその商品の扱いや保存の仕方、陳列の仕方等を決定する。
【００４８】
図６は、画像撮影装置１のシャッターボタン５を半押し状態にしたときの画像撮影装置１の動作処理を示すフローチャートである。画像撮影装置１は、シャッターボタン５を半押し状態にされると、タグリーダ／ライタ２７から電波を送信し、電子タグから情報の読み出しを行なう。
【００４９】
尚同図の処理は、入出力制御部１６が自己の内部メモリに記憶されているプログラムを実行することによって実現される。
使用者によって、シャッターボタン５が半押し状態にされると本処理は開始され、入出力制御部１６は、まず初期化処理として画像処理用メモリ１９をクリアし（ステップＳ１）、次に電子タグ用メモリ２０をクリアする（ステップＳ２）。
【００５０】
次に入出力制御部１６は、ステップＳ３として画像処理用メモリ１９へＡ／Ｄ変換器１３から出力される画像データを取り込む。そしてステップＳ４としてこの画像データを元に表示部１８にスルー画像を表示する。
【００５１】
次に入出力制御部１６は、ステップＳ５として、モードボタン６の設定状態を調べる。その結果、モードスイッチ６が仕入れモード若しくは返品モードに設定されていなければ（ステップＳ６、Ｎ）、画像撮影装置１は撮影対象物が持つ電子タグ内の電子タグ情報の読み出しを行なわないので本処理を終了する。
【００５２】
ステップＳ６において、モードボタン６が仕入れモードか返品モードに設定されていれば（ステップＳ６、Ｙ）、ステップＳ７としてタグリーダ／ライタ２７に電子タグから電子タグ情報を読み出させる。その結果、撮影対象物が電子タグを有していない等、情報を読み出せなかったときは（ステップＳ８、Ｎ）、本処理を終了する。
【００５３】
ステップＳ８において、電子タグから電子タグ情報を読み出すことが出来たときは（ステップＳ８、Ｙ）、ステップＳ９としてその情報をタグリーダ／ライタ２７から電子タグ用メモリ２０に転送して記憶させる。
【００５４】
次に入出力制御部１６は、ステップＳ１０として電子タグから読み出したＩＤコードを元に電子タグの識別子を生成し、画像処理用メモリ１９へ記憶する（ステップＳ１１）。そしてステップＳ１２として、電子タグ用メモリ内の電子タグから読み出した商品情報を画像に重畳する等して両者を共に表示部１８へ表示を行ない、本処理を終了する。
【００５５】
図７は、画像の撮影時に画像撮影装置１内で行なわれる動作処理を示すフローチャートである。同図の処理も、入出力制御部１６が自己の内部メモリに記憶されているプログラムを実行することによって実現される。
【００５６】
本処理は、使用者によってシャッターボタン５が押下されると開始され、ステップＳ２１として入出力制御部１６は、撮像制御部１４に対して撮影を指示し、撮像制御部１４は、画像処理部１５によってＡ／Ｄ変換器１３からの出力データに対してホワイトバランス等設定されているパラメータによって補正を加えた後に圧縮を行なって画像データを生成して画像処理用メモリ１９に格納する。そして入出力制御部１６は、この画像データを画像処理用メモリ１９から画像メモリ２３へ転送して記憶する。
【００５７】
次に入出力制御部１６は、その撮影画像に対して、図６のステップＳ１０で識別子が生成されて画像処理用メモリ１９に格納されているかどうかを判断し、識別子が生成されていれなければ（ステップＳ２２、Ｎ）、モードスイッチ６はＯＦＦに設定されており、電子タグ情報の読み出しは行なわれていないので、本処理を終了する。
【００５８】
ステップＳ２２で、識別子が生成されていれば（ステップＳ２２、Ｙ）、電子タグから読み出した情報と撮影画像を関連付けて記憶するので、この識別子と共に電子タグ用メモリ２０内の商品情報を画像メモリ２３に保存する（ステップＳ２３）。
【００５９】
次に入出力制御部１６は、ステップＳ２４としてタグリーダ／ライタ２７を用いて電子タグに対して再度情報を読み出して照合を行なう。そしてタイマ６から日時情報を読み出し（ステップＳ２５）、これをステップＳ２６として画像撮影装置１のＩＤコードと共に電子タグに書き込んだ後本処理を終了する。尚ステップＳ２６で電子タグに書き込んだ日時情報やＩＤコードは、後日、撮影対象物となった商品がいつどの画像撮影装置１によって撮影が為されたかを調べる等の目的で用いられる。
【００６０】
この図６、７の処理により本実施形態の画像撮影装置では、撮影した画像の画像データと、撮影対象物が持つ電子タグから読み出した電子タグ情報を対応付けて記録することが出来る。
【００６１】
図８は、データ処理装置による画像撮影装置１によって撮影画像のデータに対する処理を示すフローチャートである。
本処理は、データ処理装置１から撮影画像のデータを取り込んだデータ処理装置が、このデータを各データベースに登録する際に実行される処理で、同図の処理は図５に示したデータ処理装置によって実施され、ＲＡＭ５５やハードディスク５８上のプログラムをＣＰＵ５１が実行することによって実現される。
【００６２】
同図の処理が開始されると、まずステップＳ３１として使用者によって指定された画像の画像情報を読み出す。そしてこの画像情報内の属性情報に識別子が設定されて無ければ（ステップＳ３２、Ｎ）、ステップＳ４０として画像のみの表示処理を行ない、処理をステップＳ４１に移す。
【００６３】
ステップＳ３２において、属性情報に識別子が設定されていれば（ステップＳ３２、Ｙ）、ステップＳ３３としてこの識別子に対応する電子タグ情報内のモード情報４４、製品特定情報４５及び商品情報４６を読み出す。そして、モード情報４４からこの画像が仕入れモードで撮影されたのか、あるいは返品モード撮影されたのかを判断し、返品モードで撮影されていれば（ステップＳ３４、返品）、ステップＳ３５として返品データベース５７２へ画像データ４１、製品特定情報４５、撮影日時等を登録する。
【００６４】
そして返品を仕入先に通知する場合には（ステップＳ３６、Ｙ）、ステップＳ３７として管理データベース５７１から仕入先への連絡先を読み出し、撮影画像の画像データと電子宅情報（製品特定情報４５等）共に返品通知を仕入先の連絡先にネットワーク送信等によって通知（電話や郵送で通知を行なう場合には、通知用のリストに載せる）を行なった後に、仕入先への通知を行なわない場合には（ステップＳ３６、Ｎ）そのまま、ステップＳ３９として在庫管理データベース５７１を更新後、本処理を終了する。
【００６５】
またステップＳ３４において、モード情報４４から撮影画像が仕入れモードで撮影されていれば（ステップＳ３４、仕入）、ステップＳ４０として、仕入データベース５７３に画像データ４１、電子タグ情報（製品特定情報４５、商品情報４６等）、撮影日時等を登録する。そして最後に、ステップＳ３９として仕入先の情報の登録も含めた在庫管理データベース５７１の更新を行なった後、本処理を終了する。
【００６６】
このように、本実施形態の画像撮影装置によって撮影された撮影画像のデータには、撮影時に電子タグから読み出したその物品に対する情報が関連付けられて記憶されているので、物流管理を行なう際には、撮影画像と撮影時に電子タグから読み出した情報を対応付けて物流の管理や、仕入れ、返品、在庫の管理に用いることが出来る。
【００６７】
尚本実施形態の画像撮影装置は、単体の装置としてのみだけでなく、他の装置の一部、例えば携帯電話の一部として構成してもよい。
また本実施形態では、物品に付加した電子タグから読み出した電子タグ情報を撮影画像と対応付けて保存、管理しているが、電子タグ情報を物品に対して録音した音声データや動画像データ、文字データ等と対応付けて保存、管理したり、静止画像と音声データ等、これらのデータの内の複数のものと対応付けて保存、管理してもよい。
【図面の簡単な説明】
【００６８】
【図１】（ａ）は本実施形態の画像撮影装置の概略図、（ｂ）はタグリーダ／ライタが備える送受信アンテナの一例を示す図である。
【図２】画像撮影装置の内部構成例を示すブロック図である。
【図３】撮影対象物に付加される電子タグ内に記憶されている電子タグ情報の構成例を示す図である。
【図４】画像メモリ内に記憶されている撮影画像についてのデータの構成例を示す図である。
【図５】本実施形態で用いられるデータ処理装置の構成例を示す図である。
【図６】シャッターボタンを半押し状態にしたときの画像撮影装置の動作処理を示すフローチャートである。
【図７】画像の撮影時に画像撮影装置内で行なわれる動作処理を示すフローチャートである。
【図８】画像撮影装置によって撮影された画像を再生する際に行なわれる処理を示すフローチャートである。
【符号の説明】
【００６９】
１              画像撮影装置
２              タグリーダ／ライタ
３              撮影レンズ
５              シャッターボタン
６              モードスイッチ
１０            レンズ
１１            ＣＣＤ
１２            撮像プロセス
１３            Ａ／Ｄ変換器
１４            撮影制御部
１５            画像処理部
１６            入出力制御部
１７            表示部
１８            出力部
１９            画像処理用メモリ
２０            電子タグ用メモリ
２１            送受信アンテナ
２２            シールド板
２３            画像メモリ
２４            通信インタフェース
２５            メモリカードインタフェース
２６            タイマ
２７            タグリーダ／ライタ
２８            バスライン
５１            ＣＰＵ
５２            入出力部
５３            媒体駆動部
５４            ＲＯＭ
５５            ＲＡＭ
５６            外部インタフェース
５７            ハードディスク
５８            バス
５７１          在庫管理データベース
５７２          返品データベース
５７３          仕入れデータベース
【図１】
2005192034.tif 000003
【図２】
2005192034.tif 000004
【図３】
2005192034.tif 000005
【図４】
2005192034.tif 000006
【図５】
2005192034.tif 000007
【図６】
2005192034.tif 000008
【図７】
2005192034.tif 000009
【図８】
2005192034.tif 000010